(57)【要約】【課題】コントローラ用電源回路に生じた異常によってコントローラが損傷するのと、被制御回路が無制御状態のままで動作するのとを共に防止できるようにする。【解決手段】コントローラ用電源回路１４０からの出力が過電圧になると、コンパレータ３７からの電圧信号が“Ｈ”レベルに切り替り、それによって第２のＬＥＤ４１が発光動作し、第２の受光ＴＲ４３をターンオンさせる。その結果、ＰＷＭ制御回路１３からＴＲ１５のベース端子に供給されるべきパルス幅可変の電流信号が、第２の受光ＴＲ４３をバイパスすることで、ＴＲ１５のスイッチング動作が強制的に停止状態にされる。この状態は、コントローラ用電源回路１４０に生じた故障等が解消されることで、コンパレータ３７からの電圧信号のレベルが、“Ｌ”レベルに切り替るまでの間継続される。【選択図】        図１
2004274873.tif 000002
【特許請求の範囲】
【請求項１】
被制御回路をコントロールするコントローラに給電するためのコントローラ用電源回路において、
コントローラ用電源回路に異常が生じたとき、コントローラ用電源回路自身の動作を停止させるのみならず、前記被制御回路への給電をも停止させるようにしたコントローラ用電源回路。
【請求項２】
請求項１記載のコントローラ用電源回路において、
前記被制御回路への給電が、コントローラ用電源回路とは別の電源回路から行われるコントローラ用電源回路。
【請求項３】
請求項２記載のコントローラ用電源回路において、
前記別の電源回路が、メイン電源回路であり、
コントローラ用電源回路への給電、及び前記被制御回路への給電が、前記メイン電源回路から行われるコントローラ用電源回路。
【請求項４】
請求項１乃至請求項３のいずれか１項記載のコントローラ用電源回路において、
コントローラ用電源回路に生じた異常が、コントローラ用電源回路からコントローラへの出力電圧が過電圧になった状態であるコントローラ用電源回路。
【請求項５】
請求項１乃至請求項４のいずれか１項記載のコントローラ用電源回路において、
前記被制御回路への給電停止が、コントローラ用電源回路からコントローラへの出力電圧をモニタしている過電圧検出回路が過電圧を検出したことに起因して前記メイン電源回路の動作を停止させることによって行われるコントローラ用電源回路。
【請求項６】
請求項１乃至請求項４のいずれか１項記載のコントローラ用電源回路において、
前記被制御回路への給電停止が、前記メイン電源回路に設けた過電流検出回路が過電流を検出したことに起因して前記メイン電源回路の動作を停止させることによって行われるコントローラ用電源回路。
【発明の詳細な説明】
【０００１】
【発明の属する技術分野】
本発明は、例えば電子プリンタ等の機器において、プリントエンジン等の機構部を制御するコントローラに安定的に給電するためのコントローラ用電源回路の改良に関する。
【０００２】
【従来の技術】
一般に電子プリンタ等の機器では、機器が内蔵する電源回路（内部電源回路）が、（ＤＣ―ＤＣコンバータを含む）メイン電源回路を搭載した電源基板と、（同じくＤＣ―ＤＣコンバータを含む）サブ電源回路を搭載したコントローラ基板とを含んだ構成となっている。そして、メイン電源回路は、プリントエンジン（印刷機構）等の機構部の駆動に適した電圧（例えば数十Ｖの比較的高い電圧）で機構部の駆動電力を生成して、その駆動電力を機構部へ供給する。他方、サブ電源回路は、メイン電源回路で生成した上記駆動電力を入力して、機構部の駆動に適した電圧を、機構部を制御するコントローラの駆動に適した電圧（例えば数Ｖの比較的低い電圧）に降圧することによりコントローラの駆動電力を生成して、その駆動電力をコントローラへ供給する。
【０００３】
上記構成の内部電源回路では、サブ電源回路からコントローラへの給電において、例えばサブ電源回路に生じた何らかの障害等に起因して、過電圧がサブ電源回路からコントローラ側に印加されると、それによってコントローラを構成する集積回路等の電子回路部品が損傷する虞がある。そこで、サブ電源回路からコントローラ側に印加される電圧が過電圧になったとき、その過電圧を検出してメイン電源回路からサブ電源回路への給電を停止させることによりコントローラを過電圧から保護する過電圧保護回路を備えた構成の電源回路が提案されている。
【０００４】
また、電源回路において、ＤＣ―ＤＣコンバータ等から成るスイッチング電源回路に障害が生じても、その後段の装置を過電圧から保護できるようにすべく、過電圧検出回路が、ＤＣ―ＤＣコンバータからの出力電圧が所定の基準電圧を超えたことを検出したとき、ＡＣアダプタ等の直流電源とＤＣ―ＤＣコンバータとの間を断／続するＦＥＴ（半導体スイッチング素子）を“オフ”にし、上記直流電源からの直流電圧が、ＤＣ―ＤＣコンバータに印加されないように構成したものも提案されている（例えば特許文献１参照）。
【特許文献１】
特開平９−２８４９９４号公報。
【０００５】
【発明が解決しようとする課題】
ところで、上記過電圧保護回路を備えた構成の電源回路では、上述したように、サブ電源回路（ＤＣ―ＤＣコンバータ）からの出力電圧に（出力電圧が過電圧になる等の）異常が生じると、過電圧保護回路の異常（過電圧）検出動作によってサブ電源回路からコントローラへの給電が停止されるので、コントローラによる機構部の制御動作が停止状態にはなるが、コントローラ（を構成する集積回路等の電子回路部品）に損傷等の不具合が生じるのを予防することができる。
【０００６】
しかし、上述した構成の電源回路では、サブ電源回路からコントローラへの給電が停止された場合であっても、メイン電源回路からその負荷であるプリントエンジン（印刷機構）等の機構部への給電については依然として継続されたままであるから、機構部はコントローラからの制御信号とは全く無関係に動作可能な、言わば無制御状態に置かれることになるという問題点が生じる。
【０００７】
従って本発明の目的は、機器の被制御回路をコントロールするコントローラへ給電するためのコントローラ用電源回路において、該電源回路に異常が生じたとき、その異常によってコントローラが損傷するのを防止できるのみならず、被制御回路が無制御状態のままで動作することをも防止できるようにすることにある。
【０００８】
【課題を解決するための手段】
本発明に従う、被制御回路をコントロールするコントローラに給電するためのコントローラ用電源回路は、該電源回路に異常が生じたとき、該電源回路自身の動作を停止させるのみならず、上記被制御回路への給電をも停止させるように構成されている。
【０００９】
上記構成によれば、該電源回路に異常が生じると、該電源回路自身の動作を停止させることにより該電源回路からのコントローラに対する給電が停止されるから、該電源回路に生じた異常によってコントローラが損傷したりする不具合が未然に防止される。これと共に、上記被制御回路への給電も停止させられるから、上記被制御回路の駆動も停止される。よって、該電源回路からコントローラへの給電が停止されたことによってコントローラが動作停止しているときに、被制御回路が無制御状態のままで動作するのを防止することができる。
【００１０】
本発明に係る好適な実施形態では、上記被制御回路への給電が、コントローラ用電源回路とは別の電源回路から行われる。
【００１１】
上記とは別の実施形態では、上記別の電源回路が、メイン電源回路であり、コントローラ用電源回路への給電、及び上記被制御回路への給電が、上記メイン電源回路から行われる。
【００１２】
また、上記とは別の実施形態では、コントローラ用電源回路に生じた異常が、コントローラ用電源回路からコントローラへの出力電圧が過電圧になった状態である。
【００１３】
また、上記とは別の実施形態では、上記被制御回路への給電停止が、コントローラ用電源回路からコントローラへの出力電圧をモニタしている過電圧検出回路が過電圧を検出したことに起因して上記メイン電源回路の動作を停止させることによって行われる。
【００１４】
更に、上記とは別の実施形態では、上記被制御回路への給電停止が、上記メイン電源回路に設けた過電流検出回路が過電流を検出したことに起因して上記メイン電源回路の動作を停止させることによって行われる。
【００１５】
【発明の実施の形態】
以下、本発明の実施の形態を、図面により詳細に説明する。
【００１６】
図１は、本発明の一実施形態に係るコントローラ用電源回路を含むスイッチング電源装置の回路構成を示した図である。
【００１７】
このスイッチング電源装置は、例えば電子プリンタの機構部であるプリントエンジン等の負荷回路６１と、負荷回路６１をコントロールするためのコントローラ５９とを負荷として、商用電源（図示しない）から供給される交流電力を制御することにより、負荷（５９、６１）側に駆動電力として所定の直流電力を安定的に供給するように構成されており、図１に示すように、電源基板１００と、コントローラ基板２００とを備える。電源基板１００上には、メイン電源回路を構成するための各部である、全波整流部１１０と、交流電圧生成部１２０と、直流電圧安定供給部１３０と、給電オン／オフ制御部１５０とが搭載されている。また、コントローラ基板２００上には、コントローラ用電源回路１４０と、コントローラ５９とが搭載されている。
【００１８】
全波整流部１１０は、ダイオードブリッジ回路３と、平滑コンデンサ５とを含む。交流電圧生成部１２０は、起動抵抗（電流制限抵抗）１１と、パルス幅変調制御回路（ＰＷＭ制御回路）１３と、トランジスタ（ＴＲ）１５と、電流検出用抵抗（電流制限抵抗）１７と、変圧器１９の一次巻線１９ａ、１９ｂと、制御ＴＲ２１とを含む。直流電圧安定供給部１３０は、変圧器１９の二次巻線１９ｃと、ダイオード２３と、平滑コンデンサ２５とを含む。給電オン／オフ制御部１５０は、電圧検出回路２９と、第１の発光ダイオード（ＬＥＤ）３１、及び第１の受光ＴＲ３３から構成される第１のフォトカプラ３５と、コンパレータ３７と、直流電源３９と、第２のＬＥＤ４１、及び第２の受光ＴＲ４３から構成される第２のフォトカプラ４５とを含む。
【００１９】
本実施形態では、コントローラ用電源回路１４０として、降圧型チョッパ回路（ＤＣ―ＤＣコンバータ）が採用されており、コントローラ用電源回路１４０は、制御回路４７と、ＴＲ４９と、ダイオード５１と、コイル５３と、平滑コンデンサ５５とを含む。
【００２０】
上記構成において、全波整流部１１０では、ダイオードブリッジ回路３が、商用電源（図示しない）から（スイッチング電源装置の）入力端子１を通じて夫々印加される（１００Ｖの）交流電圧を個別に全波整流することにより、リプル分を含んだ直流電圧を生成して出力する。ダイオードブリッジ回路３から出力されるリプル分を含んだ直流電圧は、平滑コンデンサ５に印加され、平滑コンデンサ５においてリプル分が除去されることによって平滑化された（１００Ｖの）直流電圧に生成された後、交流電圧生成部１２０に印加される。
【００２１】
交流電圧生成部１２０では、ＰＷＭ制御回路１３が、起動抵抗１１を通じて平滑コンデンサ５から印加される直流電圧によって起動する。そして、ＴＲ１５のベース端子に、ＴＲ１５をスイッチング動作（オン／オフ動作）させるための制御信号としてパルス幅可変の電流信号を供給することにより、換言すれば、ＴＲ１５のベース端子に矩形波パルス状の（パルス幅可変の）電流（ベース電流）を供給することにより、ＴＲ１５をスイッチング動作させる。これにより、ＴＲ１５がオン状態のときには、ＴＲ１５を通じて平滑コンデンサ５と変圧器１９の一次巻線１９ａとの間に閉ループが形成され、また、ＴＲ１５を通じてＰＷＭ制御回路１３と変圧器１９の一次巻線１９ｂとの間にも閉ループが形成される。一方、ＴＲ１５がオフ状態のときには上記閉ループはいずれも解消される。これにより、変圧器１９の一次巻線１９ａ、１９ｂに夫々交流電圧が発生する。
【００２２】
ＴＲ１５がターンオフすることによって、ＴＲ１５を通じて平滑コンデンサ５と変圧器１９の一次巻線１９ａとの間に形成されていた閉ループが解消される。それによって、それまで平滑コンデンサ５側から変圧器１９の一次巻線１９ａ側に向って供給されていた電流が急に遮断されるため、電磁誘導により、該一次巻線１９ａに対応する直流電圧安定供給部１３０側の二次巻線１９ｃに交流電圧が発生する。
【００２３】
上述したＴＲ１５のスイッチング動作（つまり、ターンオン／ターンオフ動作）が繰り返されることによって、商用電源（図示しない）側から供給される電力が、変圧器１９の一次側巻線１９ａから二次側巻線１９ｃに伝達されることになる。
【００２４】
なお、上述したＴＲ１５のスイッチング動作において、ＴＲ１５のオフ状態からオン状態への切り替り（ターンオン）は、ＴＲ１５を過電流から保護するためにＴＲ１５のベース―エミッタ間に接続されている制御ＴＲ２１によって制御（抑制）される。即ち、ＴＲ１５がターンオンすることにより、そのコレクタ端子からＴＲ１５を通じてそのエミッタ端子側に向って電流（つまり、コレクタ電流）が流れるが、そのコレクタ電流が増加すると、それに伴ってＴＲ１５のエミッタ端子に接続されている電流検出用抵抗１７における電圧降下も増加する。
【００２５】
そして、上記コレクタ電流の増加に伴って増加する、電流検出用抵抗１７における電圧降下が、制御ＴＲ２１のベース―エミッタ間電圧の閾値を超えると、その時点で制御ＴＲ２１がターンオンする。制御ＴＲ２１がターンオンすることにより、ＰＷＭ制御回路１３からＴＲ１５のベース端子に制御信号として供給されるべきパルス幅可変の電流信号が、制御ＴＲ２１をバイパスする（ＴＲ１５が制御ＴＲ２１によって短絡される）ことで、ＴＲ１５がオン状態からオフ状態に切り替る（ターンオフする）。
【００２６】
直流電圧安定供給部１３０では、ダイオード２３が（変圧器１９の）二次巻線１９ｂに発生した交流電圧を半波整流することによって、ＴＲ１５の上記スイッチング動作に見合った大きさのリプル分を含む所定大きさの直流電圧を平滑コンデンサ２５に出力する。平滑コンデンサ２５は、ダイオード２３からの上記所定大きさの（リプル分を含む）直流電圧よりリプル分を除去することで平滑化した上記所定大きさの直流電圧を生成する。この平滑化された所定大きさの直流電圧は、平滑コンデンサ２５から（上記スイッチング電源装置の）出力端子２７ａを通じてコントローラ用電源回路１４０側に、また、出力端子２７ｂを通じて負荷回路であるプリントエンジン６１側に、夫々印加される。
【００２７】
給電オン／オフ制御部１５０では、電圧検出回路２９が、直流電圧安定供給部１３０（平滑コンデンサ２５）からの出力電圧が所定の設定電圧値に達しているか否かを検出する。上記検出において、電圧検出回路２９は、上記出力電圧が、所定の設定電圧値に達しており、更に該設定電圧値を超えようとしている場合には、第１のフォトカプラ３５の第１のＬＥＤ３１に駆動電流を供給することによって第１のＬＥＤ３１を発光動作させる。このように第１のＬＥＤ３１を発光動作させることによって、第１のフォトカプラ３５の第１の受光ＴＲ３３をオン状態にすることで、（交流電圧生成部１２０に含まれる）ＰＷＭ制御回路１３に所定の制御信号を出力し、ＰＷＭ制御回路１３は、該制御信号に基づき、ＴＲ１５を上記のようにスイッチング動作させるための制御信号として、パルス幅を狭めた電流信号をＴＲ１５のベース端子に供給する。
【００２８】
これにより、ＴＲ１５のスイッチング動作において、その導通時間（つまり、ＴＲ１５がオン状態である時間幅）が短縮される方向に制御され、これによって、直流電圧安定供給部１３０（平滑コンデンサ２５）からの出力電圧が、所定の設定電圧値に保たれる。なお、上記出力電圧が、上記設定電圧値に達していなければ、電圧検出回路２９は、第１のＬＥＤ３１を発光動作させない。
【００２９】
コントローラ用電源回路１４０では、制御回路４７が、（直流電圧安定供給部１３０の）平滑コンデンサ２５から印加される平滑化された所定大きさの直流電圧を駆動源として起動し、ＴＲ４９のベース端子に、ＴＲ４９を所定周期でスイッチング動作（オン／オフ動作）させるための制御信号として、所定周期の（矩形波状の）電流パルス信号を供給する。ＴＲ４９は、制御回路４７からの上記電流パルス信号によってスイッチング動作する。
【００３０】
制御回路４７からの制御信号によってＴＲ４９がオン状態（導通状態）になっている時間では、ＴＲ４９のエミッタ端子側の電圧が、コントローラ用電源回路１４０への入力電圧（つまり、上述した出力電圧Ｖ１のこと）に略等しくなるので、ダイオード５１には逆方向の電圧が印加されるためにダイオード５１は非導通状態となる。その結果、（直流電圧安定供給部１３０の）平滑コンデンサ２５側からＴＲ４９、及びコイル５３を通じて出力端子５７、及び平滑コンデンサ５５側に電流が流れ、平滑コンデンサ５５が充電される。一方、上記とは逆に、制御回路４７からの制御信号によってＴＲ４９がオフ状態（非導通状態）になっている時間では、ＴＲ４９がターンオフすることによってコイル５３に生じる起電力（つまり、ＴＲ４９がターンオン時に流れていた方向と同一方向に電流を流し続けようとする起電力）により、ダイオード５１に順方向の電圧が印加されることとなるのでダイオ−ド５１は導通状態になる（つまり、ダイオード５１のカソード端子側の電圧（カソード電圧）は、略ＧＮＤ電位になるので、略０Ｖになる）。このため、コイル５３、出力端子５７、（コントローラ５９）及びダイオード５１を通じてコイル５３に至る閉ループが形成されて、コイル５３から出力端子５７（コントローラ５９）側に電流が流れる。これと共に、ＴＲ４９のターンオン時に平滑コンデンサ５５に充電されていた電荷の放電によって、平滑コンデンサ５５から出力端子５７（コントローラ５９）側に放電電流が流れる。
【００３１】
ＴＲ４９の上述したスイッチング動作（ターンオン／ターンオフ動作）が所定周期で繰り返されることにより、コントローラ用電源回路１４０から出力端子５７を通じて負荷であるコントローラ５９側に出力電圧Ｖ２が供給されることになる。ここで、ダイオード５１のカソード端子における電圧（カソード電圧）の変動に着目すると、ＴＲ４９がオン状態になっている時間では、コントローラ用電源回路１４０への入力電圧Ｖ１に略等しい電圧値になっており、ＴＲ４９がオフ状態になっている時間では、上記入力電圧Ｖ１に略等しい電圧値から略０Ｖに切り替る。ダイオード５１のカソード電圧の上記切り替りは、制御回路４７がＴＲ４９に出力するＴＲ４９をスイッチング動作させるための制御信号である電流パルス信号のパルス幅に応じて繰り返される。
【００３２】
更に、本発明の一実施形態に従えば、上述したＴＲ１５のスイッチング動作が、ＴＲ１５を過電流から保護するための制御ＴＲ２１と同様にＴＲ１５のベース―エミッタ間に接続されている（第２のフォトカプラ４５の）第２の受光ＴＲ４３、（第２のフォトカプラ４５の）第２のＬＥＤ４１、及びコンパレータ３７によって適宜制御（抑制）される。即ち、第２の受光ＴＲ４３、第２のＬＥＤ４１、及びコンパレータ３７によるＴＲ１５のスイッチング動作の抑制は、上述した出力電圧Ｖ２（つまり、コントローラ用電源回路１４０から出力端子５７を通じて負荷であるコントローラ５９側に印加されるべき電圧）が、コントローラ用電源回路１４０に生じた故障（障害）などに起因して過電圧になった場合等に実施される。
【００３３】
給電オン／オフ制御部１５０において、コンパレータ３７は、その非反転入力端子を通じて印加されるコントローラ用電源回路１４０の出力電圧Ｖ２と、その反転入力端子を通じて直流電源３９から印加される基準電圧とを比較する。本実施形態では、上記基準電圧（である直流電源３９の出力電圧）は、例えばコントローラ用電源回路１４０が正常な状態のときのコントローラ用電源回路１４０の出力電圧であるＶ２ｓｔか、或いはそれよりも幾分小さ目の（Ｖ２ｓｔの）近傍値に設定されているものとする。これにより、コンパレータ３７は、上記比較の結果、コントローラ用電源回路１４０の出力電圧Ｖ２が基準電圧Ｖ２ｓｔを超えている（つまり、コントローラ用電源回路１４０に故障（障害）が生じた）場合には、“Ｈ”レベルの電圧信号を、一方、コントローラ用電源回路１４０の出力電圧Ｖ２が基準電圧Ｖ２ｓｔと等しいか又はそれを下廻っている場合には、“Ｌ”レベルの電圧信号を、夫々出力する。
【００３４】
即ち、コンパレータ３７からの電圧信号が“Ｈ”レベルのとき、コンパレータ３７から第２のＬＥＤ４１に駆動電流が供給されて第２のＬＥＤ４１が発光動作し、第２の受光ＴＲ４３を導通（ターンオン）させる。第２の受光ＴＲ４３が導通することにより、ＰＷＭ制御回路１３からＴＲ１５（をスイッチング動作させるため）の制御信号としてＴＲ１５のベース端子に供給されるべきパルス幅可変の電流信号が、第２の受光ＴＲ４３をバイパスする（ＴＲ１５を短絡する）ことで、ＴＲ１５のスイッチング動作が強制的に停止状態に置かれる。上述したＴＲ１５のスイッチング動作の強制的な停止状態は、コントローラ用電源回路１４０に生じた故障（障害）等の不具合が、例えば修繕等により解消されることによって、コンパレータ３７からの電圧信号のレベルが、“Ｈ”レベルから“Ｌ”レベルに切り替るようになるまでの間継続される。なお、コントローラ用電源回路１４０における上記不具合が解消された結果、コンパレータ３７からの電圧信号のレベルが、“Ｈ”レベルから“Ｌ”レベルに切り替れば、コンパレータ３７から第２のＬＥＤ４１への駆動電流の供給が停止されて第２のＬＥＤ４１は発光動作を停止するので、第２の受光ＴＲ４３が非導通になる（ターンオフする）ため、上述したＴＲ１５のベース端子に供給されるべきパルス幅可変の電流信号のバイパス路が解消される。
【００３５】
以上説明したように、本発明の一実施形態によれば、コントローラ用電源回路１４０に生じた故障（障害）等の不具合に起因して、コントローラ用電源回路１４０の出力電圧が過電圧になり、その過電圧がコンパレータ３７の非反転入力端子を通じてコンパレータ３７に印加されることで、コンパレータ３７から“Ｈ”レベルの電圧信号が出力され、それによって第２のフォトカプラ４５、及びＴＲ１５を介して交流電圧生成部１２０から直流電圧安定供給部１３０への給電が遮断される。その結果、直流電圧安定供給部１３０から出力端子２７ｂを通じた負荷回路（プリントエンジン）６１側への駆動電力の供給が停止されて、負荷回路（プリントエンジン）６１の駆動が停止するのみならず、直流電圧安定供給部１３０から出力端子２７ａを通じたコントローラ用電源回路１４０への給電も停止されるから、コントローラ５９が、コントローラ用電源回路１４０からの過電圧の影響を受けて損傷するのを未然に防止することができる。
【００３６】
そのため、コントローラ用電源回路１４０からの過電圧によって、コントローラ５９が損傷するのを未然に防止することが可能であると共に、負荷回路（プリントエンジン）６１が無制御状態のままで動作するのを防止することも可能になる。
【００３７】
図２は、本発明の他の実施形態に係るコントローラ用電源回路を含むスイッチング電源装置の回路構成を示した図である。
【００３８】
本実施形態に係るスイッチング電源装置は、コントローラ用電源回路１４０において、平滑コンデンサ５５と出力端子５７との間に、バイアス抵抗６３、６５と、ＴＲ６７と、電流検出用抵抗６９とから成る過電圧／過電流変換回路７０を設け、交流電圧生成部１２０において、平滑コンデンサ３と変圧器１９の一次巻線１９ａとの間に、過電流保護回路７１を設けると共に、（図１で示した）コンパレータ３７と、直流電源３９と、第２のフォトカプラ４５とを除去した点で、上述した本発明の一実施形態に係るスイッチング電源装置と構成が相違する。その他の構成については、本発明の一実施形態に係るスイッチング電源装置と同様である。
【００３９】
図２において、上述した出力電圧Ｖ２が過電圧になったことに起因して、ＴＲ６７のベース―エミッタ間電圧が過電圧になり、ＴＲ６７のベース端子にベース電流が流れると、それによってそれまで非導通状態だったＴＲ６７がターンオン（導通）して、ＴＲ６７及び電流検出用抵抗６９を通じて過電流が流れる。このように、コントローラ用電源回路１４０において過電流が流れると、それによって、メイン電源回路（即ち、全波整流部１１０、交流電圧生成部１２０、及び直流電圧安定供給部１３０）側においても、平滑コンデンサ３側から変圧器１９の一次巻線１９ａ側に向って過電流が流れることになる。過電流保護回路７１が、この過電流を検出すると、ＰＷＭ制御回路１３に対し駆動停止指令信号を出力する。これにより、ＰＷＭ制御回路１３からのＴＲ１５に対するパルス幅可変の電流信号の供給が断たれることになるので、直流電圧安定供給部１３０を通じた負荷回路（プリントエンジン）６１、及びコントローラ用電源回路１４０への給電が停止される。
【００４０】
以上、本発明の好適な実施形態を説明したが、これらは本発明の説明のための例示であって、本発明の範囲をこの実施形態にのみ限定する趣旨ではない。本発明は、他の種々の形態でも実施することが可能である。
【００４１】
【発明の効果】
以上説明したように、本発明によれば、機器の被制御回路をコントロールするコントローラへ給電するためのコントローラ用電源回路において、該電源回路に異常が生じたとき、その異常によってコントローラが損傷するのを防止できるのみならず、被制御回路が無制御状態のままで動作することをも防止できるようにすることができる。
【図面の簡単な説明】
【図１】本発明の一実施形態に係るコントローラ用電源回路を含むスイッチング電源装置の回路構成を示した図。
【図２】本発明の他の実施形態に係るコントローラ用電源回路を含むスイッチング電源装置の回路構成を示した図。
【符号の説明】
１  入力端子
３  ダイオードブリッジ回路
５、２５、５５  平滑コンデンサ
１１  起動抵抗（電流制限抵抗）
１３  パルス幅変調制御回路（ＰＷＭ制御回路）
１５、４９、６７  トランジスタ（ＴＲ）
１７、６９  電流検出用抵抗（電流制限抵抗）
１９  変圧器
１９ａ、１９ｂ  （変圧器の）一次巻線
１９ｃ  （変圧器の）二次巻線
２１  制御ＴＲ
２３、５１  ダイオード
２７ａ、２７ｂ、５７  出力端子
２９  電圧検出回路
３１  第１の発光ダイオード（ＬＥＤ）
３３  第１の受光ＴＲ
３５  第１のフォトカプラ
３７  コンパレータ
３９  直流電源
４１  第２のＬＥＤ
４３  第２の受光ＴＲ
４５  第２のフォトカプラ
４７  制御回路
５３  コイル
５９  コントローラ
６１  負荷回路（プリントエンジン）
６３、６５  バイアス抵抗
７０  過電圧／過電流変換回路
７１  過電流保護回路
１００  電源基板
１１０  全波整流部
１２０  交流電圧生成部
１３０  直流電圧安定供給部
１４０  コントローラ用電源回路
１５０  給電オン／オフ制御部
２００  コントローラ基板
【図１】
2004274873.tif 000003
【図２】
2004274873.tif 000004